(57)【特許請求の範囲】
【請求項１】
駆動手段が有する互いに接近することができる一対の駆動ブロックにより作動されて挟持対象を挟んで固定する治具であって、
前記一対の駆動ブロックにおける一つに取付けることができる第１の挟持手段と、前記一対の駆動ブロックにおける他の一つに取付けることができる第２の挟持手段と、前記第１の挟持手段及び前記第２の挟持手段の相対移動を案内する案内手段と、を備え、
前記第１の挟持手段は、第１の上面及び第１の下面を有する第１の板状本体を有すると共に、前記第１の板状本体に、
前記第１の板状本体の一端部に配置されて前記第１の上面から突起するように形成されている第１のねじ案内ブロックと、
前記第１の板状本体の前記一端部の反対側にある他端部に配置されている第１の延伸板と、
前記第１のねじ案内ブロックと前記第１の延伸板との間で前記第１の板状本体の前記第１の下面から前記第１の下面と略直交するように延伸する第１の挟持板と、
前記第１の上面側及び前記一端部側から、前記第１の下面側及び前記他端部側へ延伸する方向に沿って、真っ直ぐに前記第１のねじ案内ブロックを貫通してから該第１の挟持手段の外部を経由してまた前記第１の挟持板を貫通するように延伸する第１のねじ案内孔と、を有するように形成されており、
前記第２の挟持手段は、前記第１の挟持手段の前記第１の板状本体が有する前記第１の延伸板と向き合い、且つ第２の上面及び第２の下面を有する第２の板状本体を有すると共に、前記第２の板状本体に、
前記第２の板状本体の前記第１の延伸板に向かう端部に配置され、前記案内手段により前記第１の延伸板と接近／離間可能に案内される第２の延伸板と、
前記第２の板状本体の前記第２の下面から前記第２の下面と略直交するように延伸する第２の挟持板と、を有するように形成されており、
前記案内手段は、前記第１の延伸板または前記第２の延伸板に配置されていることを特徴とする、治具。
【請求項２】
前記第２の挟持手段が有する前記第２の板状本体は、
前記第２の延伸板の反対側にある端部に配置されて前記第２の上面から突起するように形成されている第２のねじ案内ブロックを更に有し、
前記第２の挟持板は、前記第２のねじ案内ブロックと前記第２の延伸板との間で前記第２の板状本体の前記第２の下面から前記第２の下面と略直交するように延伸するように形成されており、
前記第２の板状本体の前記第２の上面側及び前記第２のねじ案内ブロック側から、前記第２の下面側及び前記第２の延伸板側へ延伸する方向に沿って、真っ直ぐに前記第２のねじ案内ブロックを貫通してから該第２の挟持手段の外部を経由してまた前記第２の挟持板を貫通するように延伸する第２のねじ案内孔が更に形成されていることを特徴とする、請求項１に記載の治具。
【請求項３】
前記案内手段として、前記第１の挟持手段が有する前記第１の板状本体に形成された前記第１の延伸板の前記第１の下面に形成されて該第１の下面と略平行するように延伸する案内溝が形成されており、
前記第２の挟持手段が有する前記第２の板状本体に形成された前記第２の延伸板は、前記案内溝内に挿入し、且つ前記案内溝の延伸方向に沿って前記第１の延伸板と接近／離間可能に案内されることができるように形成されていることを特徴とする、請求項１または請求項２に記載の治具。
【請求項４】
前記案内手段として、前記第１の挟持手段が有する前記第１の板状本体に形成された前記第１の延伸板の前記第１の下面に形成されて該第１の下面と略平行するように延伸する案内レールが形成されており、
前記第２の挟持手段が有する前記第２の板状本体に形成された前記第２の延伸板は、前記案内レールの延伸方向に沿って前記第１の延伸板と接近／離間可能に案内されることができるように形成されていることを特徴とする、請求項１または請求項２に記載の治具。
【請求項５】
前記案内手段として、前記第１の挟持手段が有する前記第１の板状本体に形成された前記第１の延伸板の前記第１の下面に形成されて該第１の下面と略平行するように延伸する案内レールが形成されており、
前記第２の挟持手段が有する前記第２の板状本体に形成された前記第２の延伸板は、前記案内レールの延伸方向に沿って前記第１の延伸板と接近／離間可能に案内されることができるローラーが形成されていることを特徴とする、請求項１または請求項２に記載の治具。
【請求項６】
前記案内手段としての前記案内溝は、底壁面と該底壁面の両側にある側壁面とを有するように形成されていると共に、前記側壁面は凹陥して断面が略円弧状になっており、
前記第２の挟持手段が有する前記第２の板状本体に形成された前記第２の延伸板は、前記案内手段としての前記案内溝が有する側壁面にはめ込まれることができるように形成されていることを特徴とする、請求項３に記載の治具。
【請求項７】
前記案内手段は、
前記第１の延伸板に形成された前記案内溝内へ突起するガイドレールと、
前記第２の延伸板に形成されて前記ガイドレールに対応して該ガイドレールを受入れることができるガイド溝と、を更に有していることを特徴とする、請求項３に記載の治具。
【請求項８】
前記第１の挟持板の前記第１の板状本体の前記第１の下面から延伸する長さが、前記第２の挟持板の前記第２の板状本体の前記第２の下面から延伸する長さ以上になっていることを特徴とする、請求項１〜請求項７のいずれか一項に記載の治具。
【請求項９】
前記第１の挟持手段が有する前記第１の板状本体の前記一端部と前記他端部との間には、前記第１の上面から突起し、前記一対の駆動ブロックにおける一つに取付けられることができる第１の取り付け部が形成されており、
前記第２の挟持手段が有する前記第２の板状本体の前記第２の延伸板と前記第２のねじ案内ブロックとの間には、前記第２の上面から突起し、前記一対の駆動ブロックにおける他の一つに取付けられることができる第２の取り付け部が形成されていることを特徴とする、請求項２に記載の治具。
【請求項１０】
前記第１の挟持手段が有する前記第１の板状本体に、複数の前記第１のねじ案内ブロックが前記第１の板状本体の前記一端部において前記第１の延伸板と前記第２の延伸板とが接近／離間する方向と略直交する方向に沿うように配置されて前記第１の上面から突起するように形成されており、
前記第２の挟持手段が有する前記第２の板状本体に、複数の前記第２のねじ案内ブロックが前記第２の延伸板の反対側にある端部において前記第１の延伸板と前記第２の延伸板とが接近／離間する方向と略直交する方向に沿うように配置されて前記第２の上面から突起するように形成されていることを特徴とする、請求項２に記載の治具。
【請求項１１】
前記第１の挟持手段が有する前記第１の板状本体に、前記第１の上面側及び前記一端部側から、前記第１の下面側及び前記他端部側へ延伸する方向に沿って、真っ直ぐに各前記第１のねじ案内ブロックをそれぞれ貫通してから該第１の挟持手段の外部を経由してまた前記第１の挟持板を貫通するように延伸する複数の前記第１のねじ案内孔が形成されていることを特徴とする、請求項１０に記載の治具。
【請求項１２】
前記第２の挟持手段が有する前記第２の板状本体に、
前記第２の上面側及び前記第２のねじ案内ブロック側から、前記第２の下面側及び前記第２の延伸板側へ延伸する方向に沿って、真っ直ぐに各前記第２のねじ案内ブロックをそれぞれ貫通してから該第２の挟持手段の外部を経由してまた前記第２の挟持板を貫通するように延伸する複数の前記第２のねじ案内孔が形成されていることを特徴とする、請求項１１に記載の治具。
【請求項１３】
各前記第１のねじ案内孔は、互いに平行するように形成されており、
各前記第２のねじ案内孔は、互いに平行するように形成されていることを特徴とする、請求項１２に記載の治具。
【請求項１４】
各前記第１のねじ案内孔は、互いに平行しないように形成されており、
各前記第２のねじ案内孔は、互いに平行しないように形成されていることを特徴とする、請求項１２に記載の治具。
【発明の詳細な説明】
【技術分野】
【０００１】
本発明は治具に関し、特にねじ釘を斜めに設置する際に設置対象を保持しながらねじ釘の設置方向を安定化することができる治具に関する。
【背景技術】
【０００２】
ねじ釘は、部品の結合や固定などに広く用いられている。図１に示されるように、このような従来のねじ釘１０１は、通常では設置対象の表面１００と直交するようにねじ込まれて設置されるが、場合によっては設置対象の表面と直交せずに斜めに設置されることもある。その際、ねじ釘１０１は姿勢が安定しないため正しく設置することが難しく、そして設置失敗の場合には設置対象の表面を傷つけ、破壊してしまう恐れもある。
【０００３】
図２は特許文献１に記載された従来のねじ釘設置用治具である。該従来のねじ釘設置用治具１は、中空に形成された枠状の筐体１１と、筐体１１の両端にそれぞれ配置されている一対の挟持部１２と、筐体１１に取付けられている取っ手１３と、一対の挟持部１２を駆動する駆動手段１４とを有するように構成されている。また、前記一対の挟持部１２は、それぞれ互いに接近／離間することができるように筐体１１に取付けられている挟持本体１２１と、挟持本体１２１から突起するように形成され、設置対象Ａを両側から挟んで保持することができる保持板１２３と、挟持本体１２１を斜めに貫通するねじ案内孔１２４と、ねじ案内孔１２４から挟持本体１２１の表面まで延伸する屑排出孔１２２とを有するように構成されている。ちなみに、この実施形態において、図中右側にある挟持部１２は筐体１１に固定されており、左側にある挟持部１２は水平方向１６で左右移動可能に筐体１１に取付けられている。
【０００４】
駆動手段１４は一対の挟持部１２がそれぞれ有する挟持本体１２１の間に取付けられている引っ張りコイルばね１４１と、図中の揺動方向１５で揺動可能に筐体１１に取付けられていると共に、その揺動で左側にある挟持部１２を左右に動かすことができる操作アーム１４２とを有するように構成されている。
【０００５】
この構成により、該従来のねじ釘設置用治具１は駆動手段１４を操作して一対の挟持部１２がそれぞれ有する保持板１２３で設置対象Ａを両側から挟んで保持しながら、ねじ釘Ｂを一対の挟持部１２それぞれの挟持本体１２１に形成されているねじ案内孔１２４を経由して挿入するようにすることで、設置対象Ａに安定的にねじ込むことができる。また、ねじ釘Ｂが設置対象Ａにねじ込まれる際において、ねじ釘Ｂにより掘り出された屑を屑排出孔１２２で排出することができる。
【０００６】
上記のように、該従来のねじ釘設置用治具１は、引っ張りコイルばね１４１と操作アーム１４２とからなる駆動手段１４により駆動されるので、保持可能な設置対象のサイズは引っ張りコイルばね１４１が延伸可能な長さにより限られ、汎用性が低い欠点を持つ。また、屑排出孔１２２は挟持本体１２１の表面からねじ案内孔１２４まで延伸するので一定の長さがあり、屑が詰まりやすい欠点もある。
【先行技術文献】
【特許文献】
【０００７】
【特許文献１】欧州特許出願公開第２５１７８３４号明細書
【発明の概要】
【発明が解決しようとする課題】
【０００８】
本発明は、保持可能な設置対象のサイズが駆動手段により限定されず、そしてねじ釘により掘り出された屑を排出する経路が詰まりにくい治具の提供を目的とする。
【課題を解決するための手段】
【０００９】
上記目的を達成する装置として、本発明は、駆動手段が有する互いに接近することができる一対の駆動ブロックにより作動されて挟持対象を挟んで固定する治具であって、前記一対の駆動ブロックにおける一つに取付けることができる第１の挟持手段と、前記一対の駆動ブロックにおける他の一つに取付けることができる第２の挟持手段と、前記第１の挟持手段及び前記第２の挟持手段の相対移動を案内する案内手段と、を備え、前記第１の挟持手段は、第１の上面及び第１の下面を有する第１の板状本体を有すると共に、前記第１の板状本体に、前記第１の板状本体の一端部に配置されて前記第１の上面から突起するように形成されている第１のねじ案内ブロックと、前記第１の板状本体の前記一端部の反対側にある他端部に配置されている第１の延伸板と、前記第１のねじ案内ブロックと前記第１の延伸板との間で前記第１の板状本体の前記第１の下面から前記第１の下面と略直交するように延伸する第１の挟持板と、前記第１の上面側及び前記一端部側から、前記第１の下面側及び前記他端部側へ延伸する方向に沿って、真っ直ぐに前記第１のねじ案内ブロックを貫通してから該第１の挟持手段の外部を経由してまた前記第１の挟持板を貫通するように延伸する第１のねじ案内孔と、を有するように形成されており、前記第２の挟持手段は、前記第１の挟持手段の前記第１の板状本体が有する前記第１の延伸板と向き合い、且つ第２の上面及び第２の下面を有する第２の板状本体を有すると共に、前記第２の板状本体に、前記第２の板状本体の前記第１の延伸板に向かう端部に配置され、前記案内手段により前記第１の延伸板と接近／離間可能に案内される第２の延伸板と、前記第２の板状本体の前記第２の下面から前記第２の下面と略直交するように延伸する第２の挟持板と、を有するように形成されており、前記案内手段は、前記第１の延伸板または前記第２の延伸板に配置されていることを特徴とする治具を提供する。
【発明の効果】
【００１０】
上記構成によれば、本発明の治具が保持可能な設置対象のサイズは駆動手段により限定されず、第１の延伸板及び第２の延伸板の対応でより幅広い対応範囲を持っている。また、本発明においてねじ案内孔は真っ直ぐに案内ブロックを貫通してから挟持手段の外部を経由してまた挟持板を貫通するよう形成されており、即ち本発明におけるねじ案内孔自体が屑を排出する機能を備えているので、従来のねじ釘設置用治具より屑を排出する経路が詰まりにくくなっている。
【図面の簡単な説明】
【００１１】
【図１】ねじ釘の構成及び使用法が示されている説明図。
【図２】従来のねじ釘設置用治具の構成が示されている説明図。
【図３】本発明の治具の第１の実施形態の構成が示されている説明図。
【図４】本発明の治具の第１の実施形態の構成が示されている断面図。
【図５】本発明の治具の第１の実施形態の使用状態が示されている断面図。
【図６】本発明の治具の第１の実施形態の第１の変化例の構成が示されている説明図。
【図７】本発明の治具の第１の実施形態の第２の変化例の構成が示されている説明図。
【図８】本発明の治具の第２の実施形態の構成が示されている説明図。
【図９】本発明の治具の第２の実施形態の構成及び使用状態が示されている断面図。
【図１０】本発明の治具の第３の実施形態の構成が示されている説明図。
【図１１】本発明の治具の第４の実施形態の構成が示されている説明図。
【図１２】本発明の治具の第５の実施形態の構成が示されている説明図。
【発明を実施するための形態】
【００１２】
以下は各図面を参照しながら本発明の治具の各好ましい実施形態について詳しく説明する。
【００１３】
図３は本発明の治具の第１の実施形態の構成が示されている説明図であり、図４は本発明の治具の第１の実施形態の構成が示されている断面図であり、図５は本発明の治具の第１の実施形態の使用状態が示されている断面図である。
【００１４】
図３〜図５に示されているように、本発明の治具は駆動手段５が有する互いに接近することができる一対の駆動ブロック５１により作動されて挟持対象６を挟んで固定する治具であり、一対の駆動ブロック５１における一つ（図５における左側の駆動ブロック５１）に取付けられることができる第１の挟持手段２と、一対の駆動ブロック５１における他の一つ（図５における右側の駆動ブロック５１）に取付けられることができる第２の挟持手段３と、第１の挟持手段２及び第２の挟持手段３の相対移動を案内する案内手段４と、を備えている。なお、この実施形態において駆動手段５は挟み状に組み合わされた一対の駆動アームを有し、該一対の駆動アームのそれぞれの先端にある駆動ブロック５１に第１の挟持手段２と第２の挟持手段３とが取付けられているが、本発明の治具が適用できる駆動手段５はこのように一対の駆動アームで構成されたものである必要はなく、互いに接近することができる一対の駆動ブロック（即ち、第１の挟持手段２と第２の挟持手段３との取付け先）があれば、本発明の治具の操作に用いることが可能である。
【００１５】
図示のように、本発明の治具の第１の挟持手段２は、第１の上面２０１及び第１の下面２０２を有する第１の板状本体２１を有すると共に、第１の板状本体２１に、第１の板状本体２１の一端部（図３〜図５において第１の板状本体２１の左端部）に配置されて第１の上面２０１から突起するように形成されている第１のねじ案内ブロック２２と、第１の板状本体２１の前記一端部の反対側にある他端部（図３〜図５において第１の板状本体２１の右端部）に配置されている第１の延伸板２１１と、第１の板状本体２１の前記一端部（図３〜図５において第１の板状本体２１の左端部）と前記他端部（図３〜図５において第１の板状本体２１の右端部）との間で、第１の上面２０１から突起し、駆動手段５が有する一対の駆動ブロック５１における一つ（図５における左側の駆動ブロック５１）に取付けられることができる第１の取り付け部２１２と、第１のねじ案内ブロック２２と第１の延伸板２１１との間で第１の板状本体２１の第１の下面２０２から該第１の下面２０２と略直交するように延伸する第１の挟持板２３と、第１の上面２０１側及び前記一端部（図３〜図５において第１の板状本体２１の左端部）側から、第１の下面２０２側及び前記他端部（図３〜図５において第１の板状本体２１の右端部）側へ延伸する方向に沿って、真っ直ぐに第１のねじ案内ブロック２２を貫通してから該第１の挟持手段２の外部を経由してまた第１の挟持板２３を貫通するように延伸する第１のねじ案内孔２４と、を有するように形成されている。
【００１６】
即ち、図５に示されているように、第１のねじ案内孔２４は、第１のねじ案内ブロック２２を貫通する第１の貫通部分２４１と、第１の挟持板２３を貫通する第２の貫通部分２４２と、該第１の貫通部分２４１と第２の貫通部分２４２との間にあり外部に露出している連通部分２４３との３つの空間が一連に連なるようにして構成され、ねじ釘２００は第１のねじ案内孔２４のこの３つの空間を経由して挟持対象６にねじ込まれることができる。
【００１７】
第２の挟持手段３は、第１の挟持手段２の第１の板状本体２１が有する第１の延伸板２１１と向き合い、且つ第２の上面３０１及び第２の下面３０２を有する第２の板状本体３１を有すると共に、第２の板状本体３１に、第２の板状本体３１の第１の延伸板２１１から離れた側の端部（図３〜図５において第２の板状本体３１の右端部）に配置されて第２の上面３０１から突起するように形成されている第２のねじ案内ブロック３２と、第２の板状本体３１の第２のねじ案内ブロック３２の反対側にある端部（図３〜図５において第２の板状本体３１の左端部）に配置されている第２の延伸板３１１と、第２の板状本体３１の第２の延伸板３１１と第２のねじ案内ブロック３２との間で、第２の上面３０１から突起し、駆動手段５が有する一対の駆動ブロック５１における他の一つ（図５における右側の駆動ブロック５１）に取付けられることができる第２の取り付け部３１２と、第２のねじ案内ブロック３２と第２の延伸板３１１との間で第２の板状本体３１の第２の下面３０２から第２の下面３０２と略直交するように延伸する第２の挟持板３３と、第２の上面３０１側及び第２のねじ案内ブロック３２側から、第２の下面３０２側及び第２の延伸板３１１側へ延伸する方向に沿って、真っ直ぐに第２のねじ案内ブロック３２を貫通してから該第２の挟持手段３の外部を経由してまた第２の挟持板３３を貫通するように延伸する第２のねじ案内孔３４と、を有するように形成されている。
【００１８】
また、この第１の実施形態において、案内手段４として第１の延伸板２１１の第１の下面２０２に形成されて該第１の下面２０２と略平行するように延伸する案内溝４１が形成されており、一方、第２の挟持手段３が有する第２の板状本体３１に形成された第２の延伸板３１１は、案内手段４として形成された案内溝４１内に挿入し、且つ該案内溝４１の延伸方向に沿って第１の延伸板２１１と接近／離間可能に案内されることができるように形成されている。
【００１９】
図３に示されるこの案内手段４の構成は一例に過ぎず、例えば図６、図７にはそれぞれ本発明の治具の第１の実施形態の第１の変化例及び第２の変化例の構成が示されている。案内手段４は、図６に示されているように、第１の延伸板２１１に案内溝４１の内側へ突起するガイドレール４２を更に有し、第２の延伸板３１１にガイドレール４２に対応して該ガイドレール４２を受入れることができるガイド溝４３が形成される構成や、図７に示されているように、案内溝４１が底壁面４１１と該底壁面４１１の両側にある側壁面４１２とを有するように形成されていると共に、側壁面４１２は凹陥して断面が略円弧状になっており、そして第２の延伸板３１１は、案内溝４１が有する側壁面４１２にはめ込まれることができるように形成される構成などを採用することもできる。
【００２０】
無論、本発明における案内手段４の構成はこれらに限らず、例えば、第１の延伸板２１１に、案内手段４として、第１の下面２０２に形成されて該第１の下面２０２と略平行するように延伸する案内レールが配置され、第２の延伸板３１１を前記案内レールの延伸方向に沿って第１の延伸板２１１と接近／離間可能に案内されることができるように形成する構成や、第１の延伸板２１１に配置されている案内手段４として、第１の下面２０２に形成されて該第１の下面２０２と略平行するように延伸する案内レールが形成され、第２の延伸板３１１に、前記案内レールの延伸方向に沿って第１の延伸板２１１と接近／離間可能に案内されることができるローラーを配置する構成なども考えられる。また、案内手段４を第２の挟持手段３に配置し、第１の挟持手段２をその案内手段４に対応するように構成することも可能である。
【００２１】
上記構成により、本発明の治具の第１の実施形態は図５に示されているように、駆動手段５が有する互いに接近することができる一対の駆動ブロック５１をそれぞれ第１の挟持手段２の第１の取り付け部２１２と第２の挟持手段３の第２の取り付け部３１２に取付けて該一対の駆動ブロック５１を互いに接近させるように作動すると、第１の挟持手段２と第２の挟持手段３とは互いに接近して挟持対象６を挟んで固定することができる。
【００２２】
ここで、第１の挟持手段２と第２の挟持手段３とがそれぞれ有する第１の取り付け部２１２と第２の取り付け部３１２との距離は駆動手段５が有する一対の駆動ブロック５１に対応し、第１の挟持手段２と第２の挟持手段３とが互いに接近／離間可能な範囲は案内手段４の構成により決められているが、従来技術のようなばねを使用した構成ではないため、２つの挟持手段の相対移動可能範囲がばねの伸縮可能範囲に制限されることがなく、即ち従来のねじ釘設置用治具より幅広い対応範囲を持っている。
【００２３】
また、ねじ釘２００を例えば第１のねじ案内孔２４を経由し、斜めに形成された第１のねじ案内孔２４の案内に従って安定的に挟持対象６にねじ込ませることができる上に、ねじ釘２００が挟持対象６にねじ込まれる際にねじ釘２００により掘り出される屑は、第１のねじ案内孔２４の第１のねじ案内ブロック２２を貫通する第１の貫通部分２４１と、第１の挟持板２３を貫通する第２の貫通部分２４２との間にある連通部分２４３から排出することができる。即ち、本発明における第１のねじ案内孔２４自体が屑を排出する機能を備えているので、従来のねじ釘設置用治具より屑を排出する経路が詰まりにくくなっている。
【００２４】
続いて、図８及び図９を用いて本発明の治具の第２の実施形態について説明する。図８は本発明の治具の第２の実施形態の構成が示されている説明図であり、図９は本発明の治具の第２の実施形態の構成及び使用状態が示されている断面図である。
【００２５】
図８に示されているように、本発明の治具の第２の実施形態は第１の実施形態とほぼ同じ構成になっているが、第１の挟持手段２が有する第１の挟持板２３が第１の板状本体２１の第１の下面２０２から延伸する長さＨ１が、第２の挟持手段３が有する第２の挟持板３３が第２の板状本体３１の第２の下面３０２から延伸する長さＨ２より長くなっているところのみ異なっている。
【００２６】
この構成により、図９に示されているように、複数の挟持対象６が互いに接触するように並べられている場合、第１の挟持板２３より短く形成されている第２の挟持板３３は隣り合う２つの挟持対象６の間に入り込みながら第１の挟持板２３と共に挟持対象６を挟んで保持することができるので、ライン上にある複数の挟持対象６を処理加工する状況に適している。
【００２７】
図１０は本発明の治具の第３の実施形態の構成が示されている説明図である。図示されているように、本発明の治具の第３の実施形態は、第１の挟持手段２が有する第１の板状本体２１に、複数の第１のねじ案内ブロック２２が、該同一の第１の板状本体２１の一端部（図中において第１の板状本体２１の左上端部）において第１の延伸板２１１と第２の延伸板３１１とが接近／離間する方向（図中における左上‐右下方向）と略直交する方向（図中における右上‐左下方向）に沿うように配置されて第１の上面２０１から突起するように形成されている。そして、第２の挟持手段３もこれに対応し、第２の挟持手段３が有する第２の板状本体３１に、複数の第２のねじ案内ブロック３２が第２の延伸板３１１の反対側にある端部（図中において第２の板状本体３１の右下端部）において第１の延伸板２１１と第２の延伸板３１１とが接近／離間する方向と略直交する方向に沿うように配置されて第２の上面３０１から突起するように形成されている。
【００２８】
また、第１の板状本体２１に、第１の上面２０１側及び前記一端部（図中において第１の板状本体２１の左上端部）側から、第１の下面２０２側及び前記他端部（図中において第１の板状本体２１の右下端部）側へ延伸する方向に沿って、真っ直ぐに各第１のねじ案内ブロック２２をそれぞれ貫通してから該第１の挟持手段２の外部を経由してまた第１の挟持板２３を貫通するように延伸する複数の第１のねじ案内孔２４が形成されている。
【００２９】
第２の挟持手段３側においても、第２の板状本体３１に、第２の上面３０１側及び第２のねじ案内ブロック３２側から、第２の下面３０２側及び第２の延伸板３１１側へ延伸する方向に沿って、真っ直ぐに各第２のねじ案内ブロック３２をそれぞれ貫通してから該第２の挟持手段３の外部を経由してまた第２の挟持板３３を貫通するように延伸する複数の第２のねじ案内孔３４が形成されている。
【００３０】
各第１のねじ案内孔２４は、互いに平行するように形成され、各第２のねじ案内孔３４も、互いに平行するように形成されている。
【００３１】
即ち、本発明の治具において一つの挟持手段が有するねじ案内ブロックの数量は１つに限らず、この第３の実施形態のように複数のねじ案内ブロックを設置し、そして各ねじ案内ブロックに対応する第１または第２のねじ案内孔をそれぞれ平行に設置することができる。
【００３２】
図１１は本発明の治具の第４の実施形態の構成が示されている説明図であり、図示のように、この第４の実施形態の構成は第３の実施形態とほぼ同じになっているが、第４の実施形態において、各第１のねじ案内孔２４は、互いに平行しないように形成され、各第２のねじ案内孔３４も、互いに平行しないように形成されている。
【００３３】
即ち、本発明の治具において、複数のねじ案内ブロックを設置する場合、各ねじ案内ブロックに対応する第１または第２のねじ案内孔をそれぞれ平行に設置する必要がなく、挟持対象６にねじ釘を設置する方向に応じて変更、調整することも可能である。
【００３４】
図１２は本発明の治具の第５の実施形態の構成が示されている説明図である。図示されているように、この第５の実施形態は第１の実施形態と類似する構成になっているが、第１の実施形態が有する第２のねじ案内ブロック及び該第２のねじ案内ブロックを貫通する第２のねじ案内孔は省略されている。
【００３５】
即ち、本発明の治具において、ねじ案内ブロック及びねじ案内孔は左右一つずつ配置する必要がなく、挟持対象６の一側にのみねじ釘が設置される場合ではこのような簡略化された構成を採用してコストを節約することも可能である。
【００３６】
以上、本発明の各好ましい実施形態を説明したが、本発明はこれに限定されるものではなく、その要旨を逸脱しない範囲で種々変更可能である。
【産業上の利用可能性】
【００３７】
本発明は、本発明の治具が保持可能な設置対象のサイズが駆動手段により限定されず、第１の延伸板及び第２の延伸板の対応でより幅広い対応範囲を持っている。また、本発明においてねじ案内孔は真っ直ぐに案内ブロックを貫通してから挟持手段の外部を経由してまた挟持板を貫通するよう形成されており、即ち本発明におけるねじ案内孔はそれ自体が屑を排出する機能を備えているので、従来のねじ釘設置用治具より屑を排出する経路が詰まりにくくなっている。
【符号の説明】
【００３８】
２        第１の挟持手段
２００    ねじ釘
２０１    第１の上面
２０２    第１の下面
２１      第１の板状本体
２１１    第１の延伸板
２１２    第１の取り付け部
２２      第１のねじ案内ブロック
２３      第１の挟持板
２４      第１のねじ案内孔
２４１    第１の貫通部分
２４２    第２の貫通部分
２４３    連通部分
３        第２の挟持手段
３０１    第２の上面
３０２    第２の下面
３１      第２の板状本体
３１１    第２の延伸板
３１２    第２の取り付け部
３２      第２のねじ案内ブロック
３３      第２の挟持板
３４      第２のねじ案内孔
４        案内手段
４１      案内溝
４１１    底壁面
４１２    側壁面
４２      ガイドレール
４３      ガイド溝
５        駆動手段
５１      駆動ブロック
６        挟持対象
【図１】
0006005820.tif 000002
【図２】
0006005820.tif 000003
【図３】
0006005820.tif 000004
【図４】
0006005820.tif 000005
【図５】
0006005820.tif 000006
【図６】
0006005820.tif 000007
【図７】
0006005820.tif 000008
【図８】
0006005820.tif 000009
【図９】
0006005820.tif 000010
【図１０】
0006005820.tif 000011
【図１１】
0006005820.tif 000012
【図１２】
0006005820.tif 000013